(57)【要約】【課題】電気光学パネルの背面側に重ねた支持プレートを効果的に補強することのできる電気光学装置および電子機器を提供すること。【解決手段】電気光学装置１００では、電気光学パネル１０に対して表示光の出射側とは反対側（背面側）に支持プレート４０が重ねて配置され、支持プレート４０には、前面４０ａ側で溝状に凹んで背面４０ｂ側に突条部を形成する補強溝４６が形成されている。また、補強溝４６の内側には、補強溝４６に沿って補強部材７０が配置されている。このため、支持プレート４０が撓みにくいので、電気光学パネル１０や導光板８０が撓むことを抑制することができる。【選択図】図３
2014021224.tif 000002
【特許請求の範囲】
【請求項１】
電気光学パネルと、
該電気光学パネルに対して前記電気光学パネルの表示光の出射側と反対側に重ねて配置され、前記電気光学パネル側と反対側に突出する溝状の突条部を有する補強溝が形成された支持プレートと、
前記補強溝の内側で前記支持プレートに固定されており、前記補強溝の内側壁面に接触し、前記電気光学パネル側の面が前記補強溝の深さ内に納まった状態で当該補強溝に沿って延在する補強部材と、
を有することを特徴とする電気光学装置。
【請求項２】
前記補強溝として、少なくとも、前記電気光学パネルの縦方向と平行に延在する複数本の縦溝が前記支持プレートの横方向に並列して形成されており、
前記補強部材は、前記複数本の縦溝のうちの少なくとも１本の縦溝の内側に設けられていることを特徴とする請求項１に記載の電気光学装置。
【請求項３】
前記補強部材は、前記補強溝の前記電気光学パネル側を塞ぐ補強部材前面部と、前記内側壁面のうち、相対向する２つの側面に各々重なる２つの補強部材側面部と、を備えていることを特徴とする請求項１または２に記載の電気光学装置。
【請求項４】
前記補強溝の内側には、当該補強溝に沿って延在する配線部材が設けられていることを特徴とする請求項３に記載の電気光学装置。
【請求項５】
前記配線部材は、前記補強部材の内側で延在していることを特徴とする請求項４に記載の電気光学装置。
【請求項６】
前記補強部材前面部には、該補強部材前面部側から前記補強溝の深さ方向に向けて凹む溝状凹部が形成され、
前記配線部材は、前記溝状凹部の内側で延在していることを特徴とする請求項４に記載の電気光学装置。
【請求項７】
前記補強部材は、前記内側壁面に沿って折り曲げられた金属板からなることを特徴とする請求項１乃至６の何れか一項に記載の電気光学装置。
【請求項８】
前記補強溝の前記電気光学パネルと反対側の底部と前記補強部材において前記補強溝の前記電気光学パネル側を塞ぐ補強部材前面部との間には、前記補強溝の前記底部側に向けて開口するネジ穴が形成された筒状部材が固定されていることを特徴とする請求項７に記載の電気光学装置。
【請求項９】
前記補強部材は、前記支持プレートと一体に成形されて前記補強溝を埋める樹脂部材からなることを特徴とする請求項１乃至６の何れか一項に記載の電気光学装置。
【請求項１０】
前記樹脂部材には、前記電気光学パネルと反対側に向けて開口するネジ穴が形成されていることを特徴とする請求項９に記載の電気光学装置。
【請求項１１】
前記突条部ではネジ穴が開口していることを特徴とする請求項１乃至６の何れか一項に記載の電気光学装置。
【請求項１２】
請求項１乃至１１の何れか一項に記載の電気光学装置を備えていることを特徴とする電子機器。
【発明の詳細な説明】
【技術分野】
【０００１】
本発明は、電気光学パネルを背面側で支持する支持プレートを備えた電気光学装置、および当該電気光学装置を備えた電子機器に関するものである。
【背景技術】
【０００２】
電気光学装置では、液晶パネルや有機エレクトロルミネッセンス表示パネル等の電気光学パネルが筐体によって保持されており、筐体は、電気光学パネルの背面側に重ねて配置された支持プレートを有している。
【０００３】
支持プレートとしては、樹脂製の筐体部材を用いた構造が提案されており、かかる構造の場合、筐体部材の背面側の略全体に金属板からなる補強部材を重ねて配置した構造が採用されている（特許文献１参照）。
【先行技術文献】
【特許文献】
【０００４】
【特許文献１】特開２００３−１５５３０号公報
【発明の概要】
【発明が解決しようとする課題】
【０００５】
しかしながら、電気光学パネルの背面側に支持プレートを重ねて配置しただけでは電気光学パネルの撓みを防止できない一方、特許文献１のように、樹脂製の筐体部材と金属板からなる補強部材とを二重に重ねた構造では、電気光学装置が重量化してしまう等の問題があり、好ましくない。
【０００６】
以上の問題点に鑑みて、本発明の課題は、電気光学パネルの背面側に重ねた支持プレートを効果的に補強することのできる電気光学装置および電子機器を提供することにある。
【課題を解決するための手段】
【０００７】
上記課題を解決するために、本発明に係る電気光学装置は、電気光学パネルと、該電気光学パネルに対して前記電気光学パネルの表示光の出射側と反対側に重ねて配置され、前記電気光学パネル側と反対側に突出する溝状の突条部を有する補強溝が形成された支持プレートと、前記補強溝の内側で前記支持プレートに固定されており、前記補強溝の内側壁面に接触し、前記電気光学パネル側の面が前記補強溝の深さ内に納まった状態で当該補強溝に沿って延在する補強部材と、を有することを特徴とする。
【０００８】
本発明では、電気光学パネルに対して表示光の出射側とは反対側（背面側）には支持プレートが重ねて配置され、支持プレートには、前面側で溝状に凹んで背面側に突出する突条部を有する補強溝が形成されている。しかも、補強溝の内側には、補強溝に沿って補強部材が配置されている。このため、支持プレートは、補強溝および補強部材によって効果的に補強されているので、撓みにくい。従って、電気光学パネルの撓み等を支持プレートによって効果的に抑制することができる。また、補強部材は、補強溝の内側という限定された個所のみに設けられているので、電気光学パネルの背面側全体に支持プレートおよび補強部材を重ねた構造に比して、電気光学装置の軽量化を図ることができる。さらに、補強溝は、支持プレートの前面側で凹んでいるため、支持プレートの前面側にシートや板状部材を重ねて配置しても、シートや板状部材が浮き上がることがない。
【０００９】
本発明においては、前記補強溝として、少なくとも、前記電気光学パネルの縦方向と平行に延在する複数本の縦溝が前記支持プレートの横方向に並列して形成されており、前記補強部材は、前記複数本の縦溝のうちの少なくとも１本の縦溝の内側に設けられていることが好ましい。かかる構成によれば、電気光学装置をスタンドによって起立させた姿勢で配置した場合や、電気光学装置を吊り具によって吊り下げた場合でも、電気光学装置が撓みにくい。
【００１０】
本発明において、前記補強部材は、前記補強溝の前記電気光学パネル側を塞ぐ補強部材前面部と、前記内側壁面のうち、相対向する２つの側面に各々重なる２つの補強部材側面部と、を備えていることが好ましい。かかる構成によれば、補強部材によって支持プレートの撓みを効果的に抑制することができる。
【００１１】
本発明において、前記補強溝の内側には、当該補強溝に沿って延在する配線部材が設けられていることが好ましい。かかる構成によれば、補強溝の内側を利用して配線部材を引き回すことができるので、配線部材を引き回すスペースを削減できる等の利点がある。
【００１２】
本発明において、前記配線部材は、前記補強部材の内側で延在している構成を採用することができる。
【００１３】
本発明において、前記補強部材前面部には、該補強部材前面部側から前記補強溝の深さ方向に向けて凹む溝状凹部が形成され、前記配線部材は、前記溝状凹部の内側で延在している構成を採用してもよい。かかる構成によれば、補強溝の内側のうち、補強部材の外側で配線部材を引き回すことができるので、配線部材の着脱が容易である。
【００１４】
本発明において、前記補強部材は、前記内側壁面に沿って折り曲げられた金属板からなる構成を採用することができる。
【００１５】
この場合、前記補強溝の前記電気光学パネルと反対側の底部と前記補強部材において前記補強溝の前記電気光学パネル側を塞ぐ補強部材前面部との間には、前記補強溝の前記底部側に向けて開口するネジ穴が形成された筒状部材が固定されていることが好ましい。かかる構成によれば、ネジ穴に止めたネジ部材によって、電気光学装置とスタンドとを連結することができるとともに、電気光学装置に吊り具を連結させて用いることもできる。また、ネジ穴は、支持プレートにおいて補強溝が形成されている位置に設けられているので、ネジ穴に止めたネジ部材によって、電気光学装置とスタンドとを連結した場合や、電気光学装置に吊り具を連結した場合でも、連結部分の強度が大である。
【００１６】
本発明において、前記補強部材は、前記支持プレートと一体に成形されて前記補強溝を埋める樹脂部材からなる構成を採用してもよい。かかる構成によれば、インサート成形やアウトサート成形等の複合成形により、支持プレートと補強部材（樹脂部分）とが一体化しているので、支持プレートと補強部材とが別体の場合に比して、電気光学装置を効率よく組み立てることができる。
【００１７】
この場合、前記樹脂部材には、前記電気光学パネルと反対側に向けて開口するネジ穴が形成されていることが好ましい。かかる構成によれば、ネジ穴に止めたネジ部材によって、電気光学装置とスタンドとを連結することができるとともに、電気光学装置に吊り具を連結させて用いることもできる。また、ネジ穴は、支持プレートにおいて補強溝が形成されている位置に設けられているので、ネジ穴に止めたネジ部材によって、電気光学装置とスタンドとを連結した場合や、電気光学装置に吊り具を連結した場合でも、連結部分の強度が大である。
【００１８】
本発明において、前記突条部ではネジ穴が開口していることが好ましい。かかる構成によれば、ネジ穴に止めたネジ部材によって、電気光学装置とスタンドとを連結することができるとともに、電気光学装置に吊り具を連結させて用いることもできる。また、ネジ穴は、支持プレートにおいて補強溝が形成されている位置に設けられているので、ネジ穴に止めたネジ部材によって、電気光学装置とスタンドとを連結した場合や、電気光学装置に吊り具を連結した場合でも、連結部分の強度が大である。
【００１９】
本発明に係る電気光学装置は、液晶テレビジョン等の電子機器に用いられる。
【図面の簡単な説明】
【００２０】
【図１】本発明の実施の形態１に係る電気光学装置を備えた液晶テレビジョン（電子機器）の説明図である。
【図２】本発明の実施の形態１に係る電気光学装置の全体構成を示す説明図である。
【図３】本発明の実施の形態１に係る電気光学装置をさらに細かく分解したときの分解斜視図である。
【図４】本発明の実施の形態１に係る電気光学装置に用いた支持プレートの説明図である。
【図５】本発明の実施の形態１に係る電気光学装置に用いた支持プレートの補強構造を示す説明図である。
【図６】本発明の実施の形態２に係る電気光学装置に用いた支持プレート等の説明図である。
【図７】本発明の実施の形態３に係る電気光学装置に用いた支持プレート等の説明図である。
【図８】本発明の実施の形態４に係る電気光学装置に用いた支持プレート等の説明図である。
【図９】本発明の実施の形態５に係る電気光学装置に用いた支持プレート等の説明図である。
【図１０】本発明の実施の形態６に係る電気光学装置に用いた支持プレート等の説明図である。
【図１１】本発明の実施の形態７に係る電気光学装置に用いた支持プレート等の説明図である。
【図１２】本発明の実施の形態８に係る電気光学装置に用いた支持プレート等の説明図である。
【図１３】本発明の実施の形態９に係る電気光学装置に用いた支持プレート等の説明図である。
【図１４】本発明の実施の形態１０に係る電気光学装置に用いた支持プレート等を背面側からみた底面図である。
【発明を実施するための形態】
【００２１】
図面を参照して、液晶テレビジョン用の電気光学装置に本発明を適用した形態を説明する。なお、以下の説明で参照する図においては、各層や各部材を図面上で認識可能な程度の大きさとするため、各層や各部材毎に縮尺を異ならしめてある。また、以下の説明では、導光板や電気光学パネルの面内方向で互いに交差する方向をＸ軸方向（横方向）およびＹ軸方向（縦方向）とし、Ｘ軸方向およびＹ軸方向に交差する方向をＺ軸方向とする。また、以下に参照する図面では、Ｘ軸方向の一方側（画像に向かって左側）をＸ１側とし、他方側（画像に向かって右側）をＸ２側とし、Ｙ軸方向の一方側（画像の下側）をＹ１側とし、他方側（画像の上側）をＹ２側とする。また、Ｚ軸方向の一方側（背面側／照明光や表示光が出射される側とは反対側）をＺ１側とし、他方側（前面側／照明光や表示光が出射される側）をＺ２側とする。
【００２２】
［実施の形態１］
（全体構成）
図１は、本発明の実施の形態１に係る電気光学装置を備えた液晶テレビジョン（電子機器）の説明図であり、図１（ａ）、（ｂ）は各々、液晶テレビジョンの外観を模式的に示す説明図、および電気光学装置の電気的構成を示すブロック図である。
【００２３】
図１（ａ）に示す電子機器２０００は液晶テレビジョンであり、電気光学装置１００、テレビジョン用のフレーム２０１０、およびテレビジョン用のスタンド２０２０等を有している。電気光学装置１００は、透過型の液晶パネルからなる電気光学パネル１０と、電気光学パネル１０に画像信号を供給する画像信号供給部２７０と、電気光学パネル１０に背面側から照明光を供給するバックライトとしての照明装置８とを有している。また、電気光学装置１００は、電気光学パネル１０においてＸ軸方向に延在する走査線を駆動する走査線駆動回路１０４と、電気光学パネル１０においてＹ軸方向に延在するデータ線を駆動するデータ線駆動回路１０１とを有している。走査線駆動回路１０４およびデータ線駆動回路１０１については、双方が電気光学パネル１０に内蔵された構成を採用することができる。また、走査線駆動回路１０４およびデータ線駆動回路１０１のうちの一方が電気光学パネル１０に内蔵され、他方が電気光学パネル１０にＣＯＧ実装された駆動用ＩＣに内蔵された構成を採用することができる。また、走査線駆動回路１０４およびデータ線駆動回路１０１のうちの一方が電気光学パネル１０に内蔵され、他方が電気光学パネル１０に電気的に接続された回路基板に実装された駆動用ＩＣに内蔵された構成を採用することができる。さらには、走査線駆動回路１０４およびデータ線駆動回路１０１の双方が電気光学パネル１０とは別体の駆動用ＩＣに内蔵された構成を採用することができる。
【００２４】
照明装置８は、電気光学パネル１０に重ねて配置された導光板８０と、導光板８０の側面のうち、光入射部８０ａとされた側面に沿って配置された複数の発光素子８９と、複数の発光素子８９が実装された光源用基板８８と、発光素子８９を駆動する光源駆動部２８０とを有している。電気光学パネル１０は四角形であり、４つの辺１０ａ、１０ｂ、１０ｃ、１０ｄを有している。これらの辺１０ａ、１０ｂ、１０ｃ、１０ｄのうち、辺１０ａはＹ軸方向の一方側Ｙ１に位置する長辺であり、辺１０ｂはＹ軸方向の他方側Ｙ２に位置する長辺であり、辺１０ｃはＸ軸方向の一方側Ｘ１に位置する短辺であり、辺１０ｄはＸ軸方向の他方側Ｘ２に位置する短辺である。かかる形状に対応して、導光板８０は、４つの側面８０１、８０２、８０３、８０４を有している。これらの側面８０１、８０２、８０３、８０４のうち、側面８０１はＹ軸方向の一方側Ｙ１の長辺に位置し、側面８０２はＹ軸方向の他方側Ｙ２の長辺に位置し、側面８０３はＸ軸方向の一方側Ｘ１の短辺に位置し、側面８０４はＸ軸方向の他方側Ｘ２の短辺に位置する。本形態では、導光板８０の４つの側面８０１、８０２、８０３、８０４のうち、縦方向（Ｙ軸方向）で対向する２つの側面８０１、８０２が光入射部８０ａになっている。このため、発光素子８９は、導光板８０の２つの側面８０１、８０２（光入射部８０ａ）に沿って配列され、光源用基板８８は、導光板８０の２つの側面８０１、８０２（光入射部８０ａ）に沿って延在している。
【００２５】
（電気光学装置１００の具体的構成）
図２は、本発明の実施の形態１に係る電気光学装置１００の全体構成を示す説明図であり、図２（ａ）、（ｂ）は各々、電気光学装置１００の斜視図および分解斜視図である。図３は、本発明の実施の形態１に係る電気光学装置１００をさらに細かく分解したときの分解斜視図である。
【００２６】
図２および図３に示すように、照明装置８は、導光板８０の背面側（Ｚ軸方向の一方側Ｚ１）を覆うように配置された支持プレート４０と、支持プレート４０の前方で電気光学パネル１０の端部を保持するとともに照明装置８を囲って保持する樹脂フレーム３０と、樹脂フレーム３０の前側（Ｚ軸方向の他方側Ｚ２）に配置された金属フレーム５０とを備えている。
【００２７】
樹脂フレーム３０は、電気光学パネル１０の端部を保持するとともに電気光学パネル１０の周りを囲む矩形枠状を有しており、本形態において、樹脂フレーム３０は、電気光学パネル１０の４つの辺毎に分割された４本のフレーム板３１、３２、３３、３４からなる。樹脂フレーム３０は黒色であり、光吸収部材として機能することによって、照明装置８内での迷光の発生を防止する。フレーム板３１、３２、３３、３４は各々、フレーム板３１、３２、３３、３４の背面側で背面側に延在する側板部３１１、３２１、３３１、３４１と、側板部３１１、３２１、３３１、３４１の前端縁から内側に向かって屈曲した前板部３１５、３２５、３３５、３４５と、前板部３１５、３２５、３３５、３４５の高さ方向の途中位置から内側に張り出した突板部３１２、３２２、３３２、３４２とを備えている。このため、フレーム板３１、３２、３３、３４の内側には、突板部３１２、３２２、３３２、３４２によって段部３１３、３２３、３３３、３４３が形成されており、かかる段部３１３、３２３、３３３、３４３と突板部３１２、３２２、３３２、３４２とによって電気光学パネル１０が保持されている。また、突板部３１２、３２２、３３２、３４２の下側には、照明装置８の導光板８０や発光素子８９等が配置されている。
【００２８】
支持プレート４０は、ＳＵＳ板等の薄い金属板に対するプレス加工等により形成されてなる。支持プレート４０は、底板部４５と、底板部４５の外周縁のうち、Ｙ軸方向の一方側Ｙ１を除く３つの辺から前側に起立する３つの側板部４２、４３、４４とを備えており、支持プレート４０の側板部４２、４３、４４の外側には樹脂フレーム３０の側板部３２１、３３１、３４１が重なっている。また、樹脂フレーム３０の側板部３１１は、支持プレート４０のＹ軸方向の一方側Ｙ１を覆っている。
【００２９】
金属フレーム５０も、支持プレート４０と同様、ＳＵＳ板等の薄い金属板に対するプレス加工等により形成されてなる。金属フレーム５０は、前板部５５と、前板部５５の外周縁から下方に折れ曲がった４つの側板部５１、５２、５３、５４とを備えており、下面が開口する矩形の箱状になっている。側板部５１、５２、５３、５４は、樹脂フレーム３０の側板部３１１、３２１、３３１、３４１の外側を覆うように重ねられている。前板部５５には、電気光学パネル１０から出射された光を出射する矩形の窓５５０が形成されており、前板部５５は、電気光学パネル１０の表示光出射側のうち、外周端部を全周にわたって覆っている。また、金属フレーム５０の前板部５５は、同時に、樹脂フレーム３０の前板部３１５、３２５、３３５、３４５の前方を完全に覆うように設置されている。
【００３０】
このように構成した金属フレーム５０、樹脂フレーム３０、および支持プレート４０はネジ（図示せず）等により結合されて、内側に電気光学パネル１０や照明装置８を保持する。この状態で、支持プレート４０は、照明装置８を介して電気光学パネル１０を支持している。
【００３１】
（電気光学パネル１０の構成）
電気光学パネル１０は、四角形の平面形状を有する液晶パネルであり、画素電極（図示せず）等が形成された素子基板１１と、素子基板１１に対して所定の隙間を介して対向配置された対向基板１２と、この対向基板１２と素子基板１１とを貼り合せる矩形枠状のシール材（図示せず）とを備えている。かかる電気光学パネル１０の詳細な構成の説明や図示は省略するが、シール材で囲まれた領域内に液晶層が保持されている。素子基板１１および対向基板１２はガラス基板等の透光性基板からなる。素子基板１１では、Ｘ軸方向に複数本の走査線が延在している一方、Ｙ軸方向には複数本のデータ線が延在しており、走査線とデータ線との交差に対応して、スイッチング素子および画素電極（図示せず）が設けられている。
【００３２】
本形態では、対向基板１２が表示光の出射側に配置され、素子基板１１は照明装置８の側に配置されている。また、対向基板１２において、素子基板１１と対向する面には、シール材の４つの辺の内縁に沿って、矩形枠状の遮光層からなる額縁層が形成されており、額縁層の内縁により規定された領域が画像表示領域１００ａである。
【００３３】
電気光学パネル１０は、ＴＮ（Twisted Nematic）方式、ＥＣＢ（Electrically Controlled Birefringence）方式、あるいはＶＡＮ（Vertical Aligned Nematic）方式の電気光学パネルとして構成されており、素子基板１１に画素電極が形成され、対向基板１２に共通電極（図示せず）が形成されている。なお、電気光学パネル１０がＩＰＳ（In Plane Switching）方式や、ＦＦＳ（Fringe Field Switching）方式の電気光学パネルである場合、共通電極は、素子基板１１の側に設けられる。また、素子基板１１が対向基板１２に対して表示光の出射側に配置されることもある。電気光学パネル１０の上面には上偏光板１８が重ねて配置され、電気光学パネル１０の下面と照明装置８との間には下偏光板１７が配置されている。
【００３４】
本形態において、素子基板１１は対向基板１２より大きい。このため、素子基板１１は、Ｙ軸方向の一方側Ｙ１において対向基板１２の端部から張り出した張り出し部分１１０を有しており、かかる張り出し部分１１０には複数枚のフレキシブル配線基板２００が接続されている。また、複数枚のフレキシブル配線基板２００は、共通の配線基板２５０に接続されており、かかるフレキシブル配線基板２００、共通の配線基板２５０を介して、図１を参照して説明した画像信号供給部２７０や走査線駆動回路１０４に信号等が入力される。
【００３５】
（照明装置８の構成）
照明装置８は、電気光学パネル１０の背面側に重ねて配置された導光板８０と、導光板８０の光入射部８０ａに発光面を向けて光入射部８０ａの一方端側（Ｘ軸方向の一方側Ｘ１）から他方端側（Ｘ軸方向の他方側Ｘ２）に向かって配列された複数の発光素子８９とを備えている。複数の発光素子８９は、光入射部８０ａに沿ってＸ軸方向に延在する光源用基板８８の一方面８８１に実装されている。発光素子８９は、白色光を出射するＬＥＤ（Light Emitting Diode）であり、光源光を発散光として出射する。
【００３６】
照明装置８においては、導光板８０の側面８０１、８０２、８０３、８０４のうち、Ｙ軸方向で相対向する２つの側面８０１、８０２が光入射部８０ａとして利用されている。このため、複数の発光素子８９は、導光板８０の２つの光入射部８０ａ（側面８０１、８０２）に発光面を向け、２つの光入射部８０ａ（側面８０１、８０２）の各々の一方端側から他方端側に向かって配列されている。光源用基板８８は、２つの光入射部８０ａ（側面８０１、８０２）に沿って２枚が延在しており、かかる２枚の光源用基板８８の各々の一方面８８１に複数の発光素子８９が実装されている。
【００３７】
導光板８０は、アクリル樹脂やポリカーボネート樹脂等からなる透光性の樹脂板であり、導光板８０の背面８０ｃと支持プレート４０の底板部４５との間には反射シート１８７が重ねて配置されている。
【００３８】
導光板８０の前面（光出射面８０ｂ）と電気光学パネル１０との間には拡散シート１８２、プリズムシート１８３、１８４等の光学シートが重ねて配置されている。拡散シート１８２は、アクリル樹脂やポリカーボネート樹脂等の透光性樹脂にシリカ粒子等を分散したコーティング層を備えたシートからなる。２枚のプリズムシート１８３、１８４は、互いの稜線が直交するように配置されている。このため、導光板８０の光出射面８０ｂから出射された照明光は、拡散シート１８２によって全方向に拡散した後、２枚のプリズムシート１８３、１８４によって、電気光学パネル１０の正面方向にピークを持つような指向性が付与されている。導光板８０において、反射シート１８７が位置する側の面である背面８０ｃには、凹状の微細な窪みや、拡散部材の印刷層からなる拡散パターンが形成されており、拡散パターンの密度は、発光素子８９から離れるに従って高くなっている。このため、導光板８０から出射される照明光の強度分布は、発光素子８９からの距離にかかわらず、均一化されている。かかる拡散パターンとして、本形態では、導光板８０の背面８０ｃに微細な凹部が多数設けられている。
【００３９】
光源用基板８８は、発光素子８９が実装されている一方面８８１が導光板８０の光入射部８０ａに対向するように配置されている。また、光源用基板８８は、光入射部８０ａに沿って延在する板状の金属板の一方面８８１側に、配線パターンやランドが絶縁層とともに設けられた構造を有している。かかる構成は、例えば、金属板の一方面側に、樹脂基材層、配線パターンおよび絶縁保護層等がこの順に積層されたフレキシブル配線基板を貼り合わせることにより実現することができる。従って、金属板と配線パターン及び発光素子８９のチップが実装されるランドは電気的に絶縁性が確保されている。
【００４０】
２枚の光源用基板８８の各々の他方面８８２側には、光源用基板８８を保持する光源支持部材６０が各々配置されており、光源支持部材６０は、支持プレート４０および樹脂フレーム３０の間に配置されて保持されている。光源支持部材６０は、光源用基板８８の他方面８８２に沿って延在する棒状の金属部品であり、光源用基板８８の他方面８８２の全面と支持板部６２の基板保持面６２０において面接触状態で密着して固定されている。また、光源支持部材６０は、支持プレート４０の底板部４５に重なる後板部６１と、後板部６１の幅方向の途中位置から上方に突出した壁面を構成する支持板部６２とを有している。また、光源支持部材６０は、支持板部６２から導光板８０が位置する側とは反対側に折れ曲がった前板部６３を支持板部６２の上端側（後板部６１と反対の側）に備えており、前板部６３は、ネジ等によって金属フレーム５０の前板部５５、および樹脂フレーム３０の前板部３１５、３２５の少なくともいずれか一方に固定されている。
【００４１】
（支持プレート４０の補強構造）
図４は、本発明の実施の形態１に係る電気光学装置１００に用いた支持プレート４０の説明図であり、図４（ａ）、（ｂ）は各々、支持プレート４０を前面側からみた斜視図、および背面側からみた斜視図である。図５は、本発明の実施の形態１に係る電気光学装置１００に用いた支持プレート４０の補強構造を示す説明図であり、図５（ａ）、（ｂ）、（ｃ）、（ｄ）、（ｅ）は各々、支持プレート４０を背面側からみた底面図、Ｃ−Ｃ′断面図、支持プレート４０から補強部材７０を外した状態のＣ−Ｃ′断面図、Ａ−Ａ′断面図、およびＢ−Ｂ′断面図である。なお、図５（ｃ）、（ｄ）、（ｅ）では、回路基板９４の図示を省略してある。
【００４２】
図３、図４および図５に示すように、本形態の電気光学装置１００に用いた支持プレート４０では、電気光学パネル１０に導光板８０および反射シート１８７を介して重なる底板部４５の強度を高めることを目的に、底板部４５には、電気光学パネル１０が位置する前面４０ａ側で溝状に凹んで電気光学パネル１０とは反対側に位置する背面４０ｂ側に突条部４６ｓを形成する補強溝４６が形成されている。本形態においては、補強溝４６として、Ｙ軸方向（縦方向）に延在する４本の縦溝４６３、４６４、４６５、４６６がＸ軸方向（横方向）で並列するように形成されているとともに、Ｘ軸方向に延在して縦溝４６３、４６４、４６５、４６６のＹ軸方向の両側の端部に２本の横溝４６１、４６２が形成されている。縦溝４６３、４６４、４６５、４６６は、支持プレート４０がＹ軸方向においてＺ軸方向に撓もうとするのを阻止し、横溝４６１、４６２は、支持プレート４０がＸ軸方向においてＺ軸方向に撓もうとするのを阻止する。
【００４３】
支持プレート４０の背面４０ｂ側において、縦溝４６３、４６４および横溝４６１、４６２に対応する突条部４６ｓで囲まれた凹状領域には回路基板９３、９４が配置されており、かかる回路基板９３、９４は、図２に示す配線基板２５０や、図１（ｂ）および図３に示す光源用基板８８に電気的に接続されている。
【００４４】
補強溝４６の内側には、補強溝４６に沿って延在する補強部材７０が配置されている。本形態において、補強部材７０は、補強溝４６の内側の略全体にわたって配置されている。より具体的には、補強部材７０は、縦溝４６３、４６４、４６５、４６６の内側においてＹ軸方向（縦方向）に延在する縦枠部分７３、７４、７５、７６と、横溝４６１、４６２の内側においてＸ軸方向（横方向）に延在する横枠部分７１、７２とからなる。本形態において、縦枠部分７３、７４、７５、７６、および横枠部分７１、７２は各々が独立した部材からなり、補強溝４６の角部分（縦枠部分７３と横枠部分７１、７２との間、および縦枠部分７６と横枠部分７１、７２との間）では補強部材７０が途切れている。これに対して、縦枠部分７４、７５の端部は、横枠部分７１、７２の側面に接合されている。
【００４５】
ここで、補強部材７０は、補強溝４６の内側で支持プレート４０に固定されており、補強溝４６の内側壁面に接触し、かつ、電気光学パネル１０側の面（前面部７０１／補強部材前面部）が補強溝４６の深さ内に納まった状態で補強溝４６に沿って延在している。より具体的には、補強溝４６は断面台形形状を有しており、補強部材７０において、縦枠部分７３、７４、７５、７６および横枠部分７１、７２は各々、補強溝４６の支持プレート４０の前面４０ａ側に向けて開口する開口部４６ａを塞ぐ前面部７０１（補強部材前面部）と、補強溝４６の相対向する２つの側面４６ｂ、４６ｃに各々重なる２つの側面部７０２、７０３とを備えている。また、補強部材７０において、縦枠部分７３、７４、７５、７６および横枠部分７１、７２は各々、補強溝４６の底板部４６ｄ（補強溝４６の底部）に重なる底面部７０６を備えている。補強部材７０の側面部７０２、７０３は、補強溝４６の側面４６ｂ、４６ｃに接する状態にあり、補強部材７０の底面部７０６は、補強溝４６の底板部４６ｄに接する状態にある。また、補強部材７０の電気光学パネル１０側の前面部７０１は、補強溝４６の側面４６ｂ、４６ｃの間に位置し、支持プレート４０から電気光学パネル１０側には突出していない。
【００４６】
本形態において、補強部材７０は、補強溝４６の断面形状に対応して折り曲げられた金属板７０ａからなる。かかる金属板７０ａは、補強溝４６の開口部４６ａを塞ぐ前板部７０１ａと、前板部７０１ａの幅方向の両端部に連接して補強溝４６の側面４６ｂ、４６ｃに重なる側板部７０２ａ、７０３ａとを備えており、溶接やネジ止め等の方法で支持プレート４０に固定されている。また、金属板７０ａは、側板部７０２ａから補強溝４６の底板部４６ｄに沿うように折り曲げられた端板部７０４ａと、側板部７０３ａから補強溝４６の底板部４６ｄに沿うように折り曲げられた端板部７０５ａとを備えている。このように構成した金属板７０ａにおいて、前板部７０１ａは補強部材７０の前面部７０１を構成し、側板部７０２ａ、７０３ａは補強部材７０の側面部７０２、７０３を構成している。ここで、端板部７０４ａの幅寸法と端板部７０５ａの幅寸法とは略等しい。また、端板部７０４ａの幅寸法と端板部７０５ａの幅寸法との和は、底板部４６ｄの幅寸法より小である。このため、端板部７０４ａと端板部７０５ａとの間では、端板部７０４ａ、７０５ａから背面４０ｂ側に向けて底板部４６ｄが部分的に露出しているが、金属板７０ａの端板部７０４ａ、７０５ａは補強部材７０の底面部７０６を構成している。
【００４７】
このように構成した支持プレート４０の補強溝４６において、縦溝４６４に対応する突条部４６ｓでは、上下方向（Ｙ方向）の途中位置でネジ穴９１が背面４０ｂ側に向けて開口しており、本形態において、ネジ穴９１は、上下方向で離間した２個所に形成されている。また、縦溝４６５に対応する突条部４６ｓでも、縦溝４６４に対応する突条部４６ｓと同様、上下方向（Ｙ方向）の途中位置では、ネジ穴９１が背面４０ｂ側に向けて開口しており、ネジ穴９１は、縦溝４６５と重なる領域において、上下方向で離間した２個所に形成されている。本形態において、ネジ穴９１は、補強溝４６の幅方向の中央位置に形成されている。
【００４８】
かかるネジ穴９１は、図１（ａ）に示すように、電気光学装置１００をスタンド２０２０によって電気光学装置１００を起立した状態で配置する際、図５（ｅ）に示すように、ネジ穴９１にボルトやネジ等のネジ部材９９を止めることにより、電気光学装置１００とスタンド２０２０とを連結させる。なお、電気光学装置１００を壁掛け状態で用いる際、ネジ穴９１に止められたネジ部材９９は、電気光学装置１００と吊り具とを連結するのに用いられる。
【００４９】
本形態においては、支持プレート４０の突条部４６ｓで背面４０ｂ側に向けて開口するネジ穴９１を形成するにあたって、補強溝４６の内側には、背面４０ｂ側に向けて開口するネジ穴９１が形成された筒状部材９０が固定されている。より具体的には、補強溝４６の内側において、支持プレート４０の底板部４６ｄと補強部材７０を構成する金属板７０ａの前板部７０１ａとの間には、背面４０ｂ側に向けて開口するネジ穴９１が形成された有底の筒状部材９０が固定されており、ネジ穴９１は、底板部４６ｄの開口部４６ｅ、および端板部７０４ａ、７０５ａの間から背面４０ｂ側に向けて開口している。なお、筒状部材９０は、支持プレート４０の底板部４６ｄ、および補強部材７０（金属板７０ａ）の前板部７０１ａに対して溶接等の方法で固定されている。
【００５０】
（本形態の主な効果）
以上説明したように、本形態の電気光学装置１００では、電気光学パネル１０に対して表示光の出射側とは反対側（背面側）には支持プレート４０が重ねて配置され、支持プレート４０には、前面４０ａ側で溝状に凹んで背面４０ｂ側に突条部４６ｓを形成する補強溝４６が形成されている。しかも、補強溝４６の内側には、補強溝４６に沿って補強部材７０が配置されている。このため、支持プレート４０は、補強溝４６および補強部材７０によって補強されているので、撓みにくい。従って、電気光学パネル１０や導光板８０が撓むことを抑制することができる。また、補強部材７０は、補強溝４６の内側という限定された個所のみに設けられているので、電気光学パネル１０の背面側全体に支持プレートおよび補強部材が重ねられた構造に比して、電気光学装置１００の軽量化を図ることができる。
【００５１】
また、補強溝４６は、支持プレート４０の前面４０ａ側で溝状に凹んで背面４０ｂ側に突条部を形成しているため、支持プレート４０の前面４０ａ側にシートや板状部材を重ねて配置しても、シートや板状部材が浮き上がることがない。
【００５２】
また、支持プレート４０の補強溝４６のうち、縦溝４６３、４６４、４６５、４６６および横溝４６１、４６２の双方に補強部材７０が設けられている。このため、電気光学装置１００をスタンド２０２０によって起立させた姿勢で配置した場合や、電気光学装置１００を吊り具によって吊り下げた場合でも、電気光学装置１００が撓みにくい。また、補強部材７０は、補強溝４６の開口部４６ａを塞ぐ前面部７０１と、補強溝４６の側面４６ｂ、４６ｃに重なる側面部７０２、７０３とを備えているため、補強部材７０は、補強溝４６において支持プレート４０の剛性を効果的に高めることができる。
【００５３】
また、補強溝４６の内側には、支持プレート４０の背面４０ｂ側に向けて開口するネジ穴９１が形成された筒状部材９０が固定されており、突条部４６ｓの背面４０ｂ側ではネジ穴９１が開口している。このため、ネジ穴９１に止めたネジ部材９９によって、電気光学装置１００とスタンド２０２０とを連結することができるとともに、電気光学装置１００に吊り具を連結させることもできる。また、ネジ穴９１は、支持プレート４０において補強溝４６が形成されている位置に設けられているので、ネジ穴９１に止めたネジ部材９９によって、電気光学装置１００とスタンド２０２０とを連結した場合や、電気光学装置１００に吊り具を連結した場合でも、連結部分の強度が大である。
【００５４】
［実施の形態２］
図６は、本発明の実施の形態２に係る電気光学装置１００に用いた支持プレート４０等の説明図であり、図５（ａ）のＢ−Ｂ′線に相当する位置で支持プレート４０を切断したときの断面図である。なお、本形態の基本的な構成は、実施の形態１と同様であることから、共通する部分には同一の符号を付して、それらの説明を省略する。
【００５５】
実施の形態１では、支持プレート４０の突条部４６ｓで背面４０ｂ側に向けて開口するネジ穴９１を形成するにあたって、有底の筒状部材９０を用いたが、図６に示すように、本形態では、支持プレート４０の底板部４６ｄと補強部材７０（金属板７０ａ）の前板部７０１ａとの間に両端が開口する筒状部材９０が設けられている。また、筒状部材９０は、前板部７０１ａの開口部７０１ｆからネジ穴９１の途中位置まで止められたボルトやネジ等のネジ部材９８によって、補強部材７０（金属板７０ａ）の前板部７０１ａと筒状部材９０との間で固定されている。なお、かかる構成を採用した場合も、ネジ部材９８による固定に加えて、筒状部材９０を支持プレート４０の底板部４６ｄ、および補強部材７０（金属板７０ａ）の前板部７０１ａに対して溶接等の固定を行ってもよい。
【００５６】
かかる構成によれば、ネジ部材９９をネジ穴９１に止める際、ネジ部材９８がネジ部材９９に対するストッパーとして機能することになる。
【００５７】
［実施の形態３］
図７は、本発明の実施の形態３に係る電気光学装置１００に用いた支持プレート４０等の説明図であり、図７（ａ）、（ｂ）は各々、図５（ａ）のＡ−Ａ′線に相当する位置で支持プレート４０を切断したときの断面図、および図５（ａ）のＢ−Ｂ′線に相当する位置で支持プレート４０を切断したときの断面図である。なお、本形態、および後述する形態の基本的な構成は、実施の形態１と同様であることから、共通する部分には同一の符号を付して、それらの説明を省略する。
【００５８】
図７に示すように、本形態では、補強溝４６のうち、図５に示す縦溝４６４の内側には、補強溝４６に沿って延在する配線部材９６が設けられており、かかる配線部材９６は、図４（ｂ）や図５（ａ）に示す回路基板９３から照明装置８の光源用基板８８に向けて延在している。
【００５９】
ここで、配線部材９６は、金属板７０ａからなる補強部材７０の内側で延在している。かかる構成によれば、補強溝４６を利用して配線部材９６を引き回すことができるので、配線部材９６を引き回すスペースを削減できる等の利点がある。
【００６０】
なお、図７（ａ）に示すように、補強溝４６の内側のうち、ネジ穴９１が形成されていない部分では、配線部材９６が補強部材７０の中央を通っているが、図７（ｂ）に示すように、ネジ穴９１が形成されている部分では、配線部材９６が補強部材７０の内側のうち、筒状部材９０の側方を通っている。また、図５（ａ）に示すように、縦枠部分７４の端部が横枠部分７１、７２の側面に接合されている場合、配線部材９６は、縦枠部分７４と横枠部分７１、７２の側面との接合部分に形成された穴を通して縦溝４６４の内側に通されている。
【００６１】
［実施の形態４］
図８は、本発明の実施の形態４に係る電気光学装置１００に用いた支持プレート４０等の説明図であり、図８（ａ）、（ｂ）は各々、図５（ａ）のＡ−Ａ′線に相当する位置で支持プレート４０を切断したときの断面図、および図５（ａ）のＢ−Ｂ′線に相当する位置で支持プレート４０を切断したときの断面図である。
【００６２】
図８に示すように、本形態でも、実施の形態３と同様、補強溝４６のうち、図５に示す縦溝４６４の内側には、補強溝４６に沿って延在する配線部材９６が設けられている。かかる配線部材９６を通すにあたって、本形態では、補強部材７０の前面部７０１には、支持プレート４０の前面４０ａ側から背面４０ｂ側に向けて凹む溝状凹部７０９が縦溝４６４に沿って形成されており、配線部材９６は、溝状凹部７０９の内側で延在している。より具体的には、本形態では、補強部材７０として補強溝４６の内壁に沿って折り曲げられた金属板７０ａが用いられていることから、金属板７０ａの前板部７０１ａには、支持プレート４０の前面４０ａ側から背面４０ｂ側に向けて凹む溝状凹部７０９ａが溝状凹部７０９として形成されており、配線部材９６は、金属板７０ａの溝状凹部７０９ａの内側で延在している。
【００６３】
このように本形態では、補強溝４６の内側のうち、補強部材７０（金属板７０ａ）の外側（溝状凹部７０９、７０９ａ）で配線部材９６を引き回すことができるので、配線部材９６の着脱が容易である。なお、本形態では、溝状凹部７０９、７０９ａが補強溝４６の幅方向の中央に設けられていたが、補強溝４６の幅方向の中央から一方の偏った位置に溝状凹部７０９、７０９ａが形成されている構成を採用してもよい。
【００６４】
［実施の形態５］
図９は、本発明の実施の形態５に係る電気光学装置１００に用いた支持プレート４０等の説明図であり、図９（ａ）、（ｂ）は各々、図５（ａ）のＡ−Ａ′線に相当する位置で支持プレート４０を切断したときの断面図、および図５（ａ）のＢ−Ｂ′線に相当する位置で支持プレート４０を切断したときの断面図である。
【００６５】
図９に示すように、本形態でも、実施の形態１と同様、支持プレート４０の底板部４５には、前面４０ａ側で溝状に凹んで背面４０ｂ側に突条部４６ｓを形成する補強溝４６が形成されている。また、補強溝４６の内側には、補強溝４６に沿って延在する補強部材７０が配置されており、補強部材７０は、補強溝４６の開口部４６ａを塞ぐ前面部７０１と、補強溝４６の相対向する２つの側面４６ｂ、４６ｃに各々重なる２つの側面部７０２、７０３とを備えている。また、補強部材７０は、補強溝４６の底板部４６ｄに重なる底面部７０６を備えている。
【００６６】
本形態において、補強部材７０は、インサート成形やアウトサート成形等の複合成形により支持プレート４０と一体成形されて補強溝４６を埋める樹脂部分７０ｃからなる。このため、補強部材７０は、全体が繋がった一体構造を有している。また、補強部材７０では、樹脂部分７０ｃの前面部７０１ｃによって補強部材７０の前面部７０１（補強部材前面部）が構成され、樹脂部分７０ｃの側面部７０２ｃ、７０３ｃによって補強部材７０の側面部７０２、７０３が構成されており、樹脂部分７０ｃの底面部７０６ｃは補強溝４６の底板部４６ｄに重なっている。
【００６７】
このように構成した支持プレート４０の補強溝４６において、縦溝４６４では、上下方向（Ｙ方向）の途中位置でネジ穴９１が背面４０ｂ側に向けて開口しており、本形態において、ネジ穴９１は、上下方向で離間した２個所に形成されている。なお、図５（ａ）に示す縦溝４６５でも、縦溝４６４と同様、上下方向（Ｙ方向）の途中位置でネジ穴９１が背面４０ｂ側に向けて開口している。ここで、ネジ穴９１は、補強溝４６の幅方向の中央位置に形成されている。
【００６８】
本形態においては、支持プレート４０の突条部４６ｓで背面４０ｂ側に向けて開口するネジ穴９１を形成するにあたって、突条部４６ｓ（底板部４６ｄ）の開口部４６ｅと重なる位置には、樹脂部分７０ｃにネジ穴９１が形成されている。
【００６９】
このように本形態でも、実施の形態１と同様、支持プレート４０には、前面４０ａ側で溝状に凹んで背面４０ｂ側に突条部を形成する補強溝４６が形成されており、かかる補強溝４６の内側には、補強溝４６に沿って補強部材７０（樹脂部分７０ｃ）が配置されている。このため、支持プレート４０が撓みにくいので、電気光学パネル１０や導光板８０が撓むことを抑制することができる等、実施の形態１と同様な効果を奏する。また、本形態では、インサート成形やアウトサート成形等の複合成形により、支持プレート４０と補強部材７０（樹脂部分７０ｃ）とが一体化しているので、支持プレート４０と補強部材７０とが別体の場合に比して、電気光学装置１００を効率よく組み立てることができる。
【００７０】
［実施の形態６］
図１０は、本発明の実施の形態６に係る電気光学装置１００に用いた支持プレート４０等の説明図であり、図１０（ａ）、（ｂ）は各々、図５（ａ）のＡ−Ａ′線に相当する位置で支持プレート４０を切断したときの断面図、および図５（ａ）のＢ−Ｂ′線に相当する位置で支持プレート４０を切断したときの断面図である。
【００７１】
図１０に示すように、本形態でも、実施の形態５と同様、支持プレート４０の底板部４５には、前面４０ａ側で溝状に凹んで背面４０ｂ側に突条部４６ｓを形成する補強溝４６が形成され、かかる補強溝４６の内側には、樹脂部分７０ｃからなる補強部材７０が設けられている。
【００７２】
また、本形態では、実施の形態３等と同様、図５に示す縦溝４６４の内側には、補強溝４６に沿って延在する配線部材９６が設けられており、かかる配線部材９６は、図４（ｂ）や図５（ａ）に示す回路基板９３から照明装置８の光源用基板８８に向けて延在している。ここで、配線部材９６は、樹脂部分７０ｃからなる補強部材７０の内側で延在している。より具体的には、樹脂部分７０ｃと補強溝４６の底板部４６ｄとの間に配線部材９６が通っている。かかる構成は、インサート成形やアウトサート成形等の複合成形により支持プレート４０と一体に樹脂部分７０ｃを形成する際、補強溝４６の内側に配線部材９６を通しておくことによって実現することができる。
【００７３】
なお、図１０（ａ）に示すように、補強溝４６の内側のうち、ネジ穴９１が形成されていない部分では、配線部材９６が幅方向の中央を通っているが、図１０（ｂ）に示すように、ネジ穴９１が形成されている部分では、配線部材９６がネジ穴９１の側方を通っている。
【００７４】
［実施の形態７］
図１１は、本発明の実施の形態７に係る電気光学装置１００に用いた支持プレート４０等の説明図であり、図１１（ａ）、（ｂ）は各々、図５（ａ）のＡ−Ａ′線に相当する位置で支持プレート４０を切断したときの断面図、および図５（ａ）のＢ−Ｂ′線に相当する位置で支持プレート４０を切断したときの断面図である。
【００７５】
図１１に示すように、本形態でも、実施の形態６と同様、補強溝４６のうち、図５に示す縦溝４６４の内側には、補強溝４６に沿って延在する配線部材９６が設けられている。また、配線部材９６は、樹脂部分７０ｃからなる補強部材７０の内側で延在している。ここで、配線部材９６は、樹脂部分７０ｃのＺ軸方向の略中央を通っている。このため、配線部材９６の周りは樹脂部分７０ｃで囲まれている。かかる構成は、インサート成形やアウトサート成形等の複合成形により支持プレート４０と一体に樹脂部分７０ｃを形成する際、補強溝４６の内側に配線部材９６を通しておくことによって実現することができる。なお、図１１（ａ）に示すように、補強溝４６の内側のうち、ネジ穴９１が形成されていない部分では、配線部材９６が幅方向の中央を通っているが、図１１（ｂ）に示すように、ネジ穴９１が形成されている部分では、配線部材９６がネジ穴９１の側方を通っている。
【００７６】
［実施の形態８］
図１２は、本発明の実施の形態８に係る電気光学装置１００に用いた支持プレート４０等の説明図であり、図１２（ａ）、（ｂ）は各々、図５（ａ）のＡ−Ａ′線に相当する位置で支持プレート４０を切断したときの断面図、および図５（ａ）のＢ−Ｂ′線に相当する位置で支持プレート４０を切断したときの断面図である。
【００７７】
図１２に示すように、本形態でも、実施の形態６、７と同様、補強溝４６のうち、図５に示す縦溝４６４の内側には、補強溝４６に沿って延在する配線部材９６が設けられている。かかる配線部材９６を通すにあたって、補強部材７０の前面部７０１には、支持プレート４０の前面４０ａ側から背面４０ｂ側に向けて凹む溝状凹部７０９が縦溝４６４に沿って形成されており、配線部材９６は、溝状凹部７０９の内側で延在している。より具体的には、本形態では、補強部材７０として補強溝４６を埋める樹脂部分７０ｃが用いられていることから、樹脂部分７０ｃの前面部７０１ｃには、支持プレート４０の前面４０ａ側から背面４０ｂ側に向けて凹む溝状凹部７０９ｃが溝状凹部７０９として形成されており、配線部材９６は、樹脂部分７０ｃの溝状凹部７０９ｃの内側で延在している。本形態において、溝状凹部７０９ｃは、樹脂部分７０ｃの幅方向の中央位置に形成されている。
【００７８】
かかる構成は、樹脂部分７０ｃを成形する際に溝状凹部７０９ｃを形成し、その後、溝状凹部７０９ｃの内側に配線部材９６を通すことにより実現することができる。かかる本形態によれば、補強溝４６の内側のうち、補強部材７０（金属板７０ａ）の外側で配線部材９６を引き回すことができるので、配線部材９６の着脱が容易である。
【００７９】
［実施の形態９］
図１３は、本発明の実施の形態９に係る電気光学装置１００に用いた支持プレート４０等の説明図であり、図１３（ａ）、（ｂ）は各々、図５（ａ）のＡ−Ａ′線に相当する位置で支持プレート４０を切断したときの断面図、および図５（ａ）のＢ−Ｂ′線に相当する位置で支持プレート４０を切断したときの断面図である。
【００８０】
図１３に示すように、本形態でも、実施の形態８と同様、補強溝４６のうち、図５に示す縦溝４６４の内側には、補強溝４６に沿って延在する配線部材９６が設けられている。かかる配線部材９６を通すにあたって、補強部材７０（樹脂部分７０ｃ）の前面部７０１ｃに溝状凹部７０９ｃが形成されており、配線部材９６は、樹脂部分７０ｃの溝状凹部７０９ｃの内側で延在している。
【００８１】
ここで、本形態において、溝状凹部７０９ｃは、樹脂部分７０ｃの幅方向の中央位置から一方のずれた位置に形成されている。本形態では、樹脂部分７０ｃの幅方向の端部に溝状凹部７０９ｃが形成されている。このため、本形態では、実施の形態８と違って、溝状凹部７０９ｃとネジ穴９１とが重ならないので、溝状凹部７０９ｃとネジ穴９１との間に肉薄部分が発生しない。従って、ネジ穴９１が形成されている部分は十分な強度を有しているので、ネジ穴９１に止めたネジ部材９９を利用して電気光学装置１００とスタンド２０２０とを連結する際、あるいは電気光学装置１００と吊り具とを連結する際、ネジ穴９１の周辺が強度不足で破損するという事態が発生しにくい。
【００８２】
［実施の形態１０］
図１４は、本発明の実施の形態１０に係る電気光学装置１００に用いた支持プレート４０等を背面側からみた底面図である。なお、図１４では、回路基板９３、９４の図示を省略してある。
【００８３】
実施の形態１〜９では、支持プレート４０に形成された補強溝４６（縦溝４６３、４６４、４６５、４６６、および横溝４６１、４６２）の全てに補強部材７０が配置されていた。これに対して、本形態では、図１４に示すように、縦溝４６３、４６４、４６５、４６６、および横溝４６１、４６２のうち、ネジ穴９１が形成された２本の縦溝４６４、４６５のみに補強部材７０が形成されている。かかる構成でも、支持プレート４０の撓みを効果的に防止することができる。従って、ネジ穴９１に止めたネジ部材（図示せず）を利用して電気光学装置１００とスタンド２０２０とを連結して電気光学装置１００を起立させた場合や、ネジ部材に吊り具を接続して電気光学装置１００を吊り下げた場合でも、電気光学装置１００が撓みにくいという利点がある。
【００８４】
［他の実施の形態］
実施の形態１等では、補強溝４６の角部分（縦枠部分７３と横枠部分７１、７２との間、および縦枠部分７６と横枠部分７１、７２との間）で補強部材７０が途切れていたが、金属板７０ａと略同様な構成の連結部材を角部分に設け、全体として一体の補強部材７０を用いてもよい。
【００８５】
上記実施の形態では、電気光学パネル１０として液晶パネルを用いたが、電気光学パネル１０として有機エレクトロルミネッセンス表示パネル等を用いた電気光学装置に本発明を適用してもよい。
【００８６】
［電子機器への搭載例］
上述実施形態では、電気光学装置１００を搭載した電子機器２０００として、液晶テレビジョンを例示したが、液晶テレビジョン以外にも、パーソナルコンピューターのディスプレイ、デジタルサイネージ、カーナビゲーション装置、携帯用情報端末等の電子機器の表示部に用いた電気光学装置１００に本発明を適用してもよい。
【符号の説明】
【００８７】
８・・照明装置、１０・・電気光学パネル、４０・・支持プレート、４６・・補強溝、４６ｄ・・底板部（補強溝の底部）、７０・・補強部材、７０ａ・・金属板、７０ｃ・・樹脂部分、８０・・導光板、９０・・筒状部材、９１・・ネジ穴、９６・・配線部材、９９・・ネジ部材、１００・・電気光学装置、１００ａ・・画像表示領域、７０１・・前面部（補強部材前面部）、７０９・・溝状凹部
【図１】
2014021224.tif 000003
【図２】
2014021224.tif 000004
【図４】
2014021224.tif 000005
【図５】
2014021224.tif 000006
【図６】
2014021224.tif 000007
【図７】
2014021224.tif 000008
【図８】
2014021224.tif 000009
【図９】
2014021224.tif 000010
【図１０】
2014021224.tif 000011
【図１１】
2014021224.tif 000012
【図１２】
2014021224.tif 000013
【図１３】
2014021224.tif 000014
【図１４】
2014021224.tif 000015
【図３】
2014021224.tif 000016